【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
エアーフィルタカートリッジであって、
（ａ）前記エアーフィルタカートリッジは、対向しあう流入面と流出面と、対向しあう第１側部および第２側部と、対向しあう第１端部および第２端部とを有する長方形形状の媒体パックを有し、
（i）前記媒体パックは、前記流入面と流出面との間の方向に延びている複数の縦溝流路を含み、
（ii）前記媒体パックは、前記流入面から入ってろ過されずに前記媒体パックの媒体を通過して前記流出面から外に出る空気流れに対して閉じられており、
（ｂ）前記エアーフィルタカートリッジは、対向しあう第１側部および第２側部と、出口端部と、出口端部に対向する入口端部と、開いている第１側端部および第２側端部とを有するプリフォームシェルを有し、
（i）前記媒体パックは、前記プリフォームシェルの前記対向しあう第１側部および第２側端部との間に配置されており、
（ｃ）前記エアーフィルタカートリッジは、対向しあう鋳込み成形された第１側部パネルおよび第２側部パネルを有し、
（i）前記鋳込み成形された第１側部パネルは、前記プリフォームシェルの前記開いている第１側端部を閉じかつ前記媒体パックの第１端部を閉じるために配置され、
（ii）前記鋳込み成形された第２側部パネルは、前記プリフォームシェルの前記開いている第２側端部を閉じかつ前記媒体パックの第２端部を閉じるために配置され、
（ｄ）前記エアーフィルタカートリッジは、前記媒体パックの前記流出面と少なくとも部分的に重なって配置されるハウジングシール構成物を有し、
（i）前記ハウジングシール構成物は、内側に向いている半径方向シールと外側に向いている半径方向シールのうちの少なくとも１つを画定するシール部材を含むことを特徴とするエアーフィルタカートリッジ。
【請求項２】
（ａ）前記ハウジングシール構成物は、内側に向いている半径方向シールと外側に向いている半径方向シールの両方を含むことを特徴とする請求項１に記載のエアーフィルタカートリッジ。
【請求項３】
（ａ）前記ハウジングシール構成物は、対向しあう第１側部および第２側部と、対向しあう第１端部と第２端部とを有する周囲部を画定することを特徴とする請求項１または請求項２に記載のエアーフィルタカートリッジ。
【請求項４】
（ａ）前記プリフォームシェルは、前記シール部材内に埋め込まれたシールフレーム突起物を含み、
（i）前記シールフレーム突起物は、対向しあう第１側部および第２側部と、対向しあう第１端部および第２端部と、４つの開いている角部とを有することを特徴とする請求項１乃至請求項３のうちのいずれか１項に記載のエアーフィルタカートリッジ。
【請求項５】
（ａ）前記シールフレーム突起物の前記対向しあう第１側部および第２側部のそれぞれと、前記シールフレーム突起物の前記対向しあう第１端部および第２端部のそれぞれは、前記シール部材中に埋め込まれている間隔をあけて配置されている複数のタブを含むことを特徴とする請求項４に記載のエアーフィルタカートリッジ。
【請求項６】
エアクリーナ構成物であって、
（ａ）前記エアクリーナ構成物は、ハウジング本体と、操作可能なアクセスカバーとを含むハウジングを含み、
（i）前記ハウジングは、空気流入口構成物と、空気流出口構成物とを含み、
（ii）前記ハウジング本体は、その中に、内壁と前記内壁に対向する外壁とを有するシール溝を含み、
（ｂ）前記エアクリーナ構成物は、前記ハウジング内に操作可能に配置されている請求項１乃至請求項５のうちのいずれか１項に記載のエアーフィルタカートリッジを有し、前記ハウジングシール構成物が前記シール溝に突き出ていて、かつ前記シール溝の内壁と外壁のいずれかに係合していることを特徴とするエアクリーナ構成物。
【請求項７】
（ａ）前記シール溝は、少なくとも８ｍｍでかつ２５ｍｍ以下の流路幅を有することを特徴とする請求項６に記載のエアクリーナ構成物。
【請求項８】
（ａ）前記ハウジングシール構成物は、前記シール溝の第１壁に対して半径方向シールを形成し、前記シール溝の対向する第２壁と係合するが、前記第２壁とシールしないように構成されていることを特徴とする請求項６または請求項７に記載のエアクリーナ構成物。
【請求項９】
エアーフィルタカートリッジであって、
（ａ）前記エアーフィルタカートリッジは、対向しあう流入面と流出面とを有する媒体パックであって、前記流入面と流出面との間の方向に延びている縦溝流路を有する縦溝流路付き媒体の細長片の積層体を含む前記媒体パックを有し、
（i）前記媒体パックは、前記流入面から入ってろ過されずに前記媒体パックの媒体を通過して前記流出面から外に出る空気流れに対して閉じられており、
（ｂ）前記エアーフィルタカートリッジは、隣接する前記流出面から突き出るように配置され、かつ半径方向に向いている少なくとも１つのハウジングシール表面を有するように構成されているハウジングシール構成物を有し、
（i）前記ハウジングシール構成物は、前記ハウジングシール表面を形成するように構成されたシール物質をその上に有するフレーム突起物を有し、
（ii）前記フレーム突起物は、プリフォームシェルの一部を含み、前記プリフォームシェルは、対向しあう第１側部および第２側部と、出口端部と、対向する入口端部と、対向しあう開いている第１側端部および第２側端部と、前記プリフォームシェルの前記入口端部に隣接しかつ前記媒体パックの第１面に向かう前記プリフォームシェルの前記第１側部と第２側部上の対向する外側に向いている第１フランジおよび第２フランジを有し、
（ｃ）前記エアーフィルタカートリッジは、前記プリフォームシェルの前記対向しあう開いている第１側端部および第２側端部を閉じるために、および前記媒体パックの閉じている対向する端部をシールするために、鋳込み成形された第１端部パネルおよび第２端部パネルを含むことを特徴とするエアーフィルタカートリッジ。
【請求項１０】
エアーフィルタカートリッジであって、
（ａ）前記エアーフィルタカートリッジは、対向しあう流入面と流出面とを有する媒体パックであって、前記流入面と前記流出面との間の方向に延びている縦溝流路を有する縦溝流路付き媒体の細長片の積層体を含む前記媒体パックを有し、
（i）前記媒体パックは、前記流入面から入ってろ過されずに前記媒体パックの媒体を通過して前記流出面から外に出る空気流れに対して閉じられており、
（ｂ）前記エアーフィルタカートリッジは、隣接する前記流出面から突き出るように配置され、かつシール部材を持って構成されているハウジングシール構成物を有し、
（i）前記シール部材は、半径方向内側に向いているハウジングシール溝と係合する表面を有し、
（ii）前記シール部材は、半径方向外側に向いているハウジングシール溝を構成する表面を有し、
（iii）前記半径方向内側に向いているハウジングシール溝と係合する表面と、前記半径方向外側に向いているハウジングシール溝を構成する表面とのうちの少なくとも１つは、ハウジングシール面であることを特徴とするエアーフィルタカートリッジ。
【請求項１１】
（ａ）前記シール部材は、
（i）半径方向内側に向いているハウジングシール表面と、
（ii）半径方向外側に向いているハウジングシール表面と、
を有することを特徴とする請求項１０に記載のエアーフィルタカートリッジ。